(57)【要約】【課題】電力モードの切替え機能を備えた無線通信装置に対してＩＬＰＣ特性を改善する。【解決手段】電力モードとして複数のモードを有する送信部を備え、さらに前記送信部の増幅器のゲインを制御するゲイン制御値と送信電力との対応を含む送信電力制御テーブルを、前記複数のモードに対応して備えた無線通信装置の送信電力の調整にあたり、（Ａ）各ゲイン制御値に対応する送信電力を測定して前記送信電力制御テーブルを作成する調整処理を、モード毎に個別に行い、（Ｂ）モード間での切替を行い、前記モード切替時前後で送信電力を測定する処理を、予め定められた複数のゲイン制御値に対して行い、前記測定した送信電力で、前記（Ａ）の調整処理で作成した各モードに対応する前記送信電力制御テーブルを修正し、（Ｃ）隣接するゲイン制御値の送信電力の差電力が規格外の場合、対応するゲイン制御値の送信電力欄にスキップするための情報を格納する。【選択図】図１１
2013172225.tif 000002
【特許請求の範囲】
【請求項１】
送信信号を出力する電力モードとして複数のモードを有する送信部と、前記モードの切替えを制御する処理装置を備え、さらに前記送信部の増幅器のゲインを制御するゲイン制御値と送信電力値との対応を含む送信電力制御テーブルを、前記複数のモードに対応して備えた無線通信装置の送信電力の調整にあたり、
（Ａ）各ゲイン制御値に対応する送信電力を測定して前記送信電力制御テーブルを作成する調整処理を、モード毎に個別に行い、
（Ｂ）予め定められた複数のゲイン制御値の各々に対して、複数のモード間でモードの切替えを行い前記モード切替えに連動し前記切替え前後で送信電力を測定し、前記モード切替えに連動して測定した送信電力で、前記（Ａ）で作成した各モードに対応する前記送信電力制御テーブルを修正する、ことを特徴とする無線通信装置の調整方法。
【請求項２】
（Ｃ）前記送信電力制御テーブルの前記修正の結果、隣接するゲイン制御値の１ステップ当りの送信電力値の変化量が、予め定められた規格から外れている場合、前記隣接するゲイン制御値のうち一方のゲイン制御値の送信電力欄に、送信電力制御において前記対応するゲイン制御値をスキップするための情報を格納する、ことを特徴とする請求項１記載の無線通信装置の調整方法。
【請求項３】
前記（Ｂ）において、
（Ｂ１）前記送信電力制御テーブルに対して、モードの切替えを行うための予め定められた送信電力の閾値に対応付けされるゲイン制御値をモード毎に決定し、
（Ｂ２）前記送信電力制御テーブルに対して閾値前後の所定の範囲をモード毎に設定し、
（Ｂ３）一つのゲイン制御値に対する送信電力の測定毎にモードの切替えを行うことで前記所定の範囲の各ゲイン制御値の送信電力を測定し、
（Ｂ４）前記（Ａ）で作成した各モードに対応する前記送信電力制御テーブルの前記修正として、前記（Ｂ３）においてモード切替えに連動し前記切替え前後に測定した送信電力値で、前記送信電力制御テーブルの前記所定の範囲に対応する送信電力欄の値を更新する、ことを特徴とする請求項２記載の無線通信装置の調整方法。
【請求項４】
前記送信信号を出力する前記電力モードとして少なくとも第１、第２のモードを含み、
前記（Ｂ）において、
（Ｂ１）前記第１、第２のモードにそれぞれ対応する第１、第２の前記送信電力制御テーブルに対して、モードの切替えを行うための予め定められた送信電力の閾値に対応付けされる第１、第２のゲイン制御値を決定し、
（Ｂ２）前記第１、第２の前記送信電力制御テーブルに対してそれぞれ前記第１、第２のゲイン制御値前後の第１、第２の所定の範囲を設定し、
（Ｂ３）一つのゲイン制御値に対する送信電力の測定毎に、前記第１と第２のモードを交互に切替えていくことで、前記第１、第２の所定の範囲の各ゲイン制御値の送信電力を測定し、
（Ｂ４）前記（Ｂ３）において前記第１、第２のモード切替えに連動し前記切替え前後に測定した前記第１、第２の所定の範囲の各送信電力値で、前記（Ａ）で作成した前記第１、第２の送信電力制御テーブルの前記第１、第２の所定の範囲にそれぞれ対応する送信電力欄の値を更新する、ことを特徴とする請求項２記載の無線通信装置の調整方法。
【請求項５】
前記（Ｃ）において、前記送信電力制御テーブルの修正の結果、前記所定の範囲内の上限又は下限のゲイン制御値の送信電力値と、前記上限又は下限のゲイン制御値に隣接するゲイン制御値の送信電力値の差電力が、前記規格外であるか判定し、前記規格外である場合、前記所定の範囲内の上限又は下限、又は前記上限又は下限に隣接するゲイン制御値の送信電力欄に、送信電力制御において、前記ゲイン制御値をスキップするための情報を設定する請求項３又は４記載の無線通信装置の調整方法。
【請求項６】
前記無線通信装置の前記送信信号の周波数帯域を互いに異なる複数の周波数区間に分割し、
前記無線通信装置が、前記送信電力制御テーブルを、前記各モードに関して、前記複数の周波数区間のそれぞれに対して備え、前記無線通信装置の送信電力の調整にあたり、
各周波数区間に関して、前記（Ａ）乃至（Ｃ）の処理を行う、ことを特徴とする請求項２乃至５のいずれか１項に記載の無線通信装置の調整方法。
【請求項７】
前記無線通信装置が、前記送信電力制御テーブルを、前記各モードに関して、互いに異なるいくつかの設定温度のそれぞれに対して備え、前記無線通信装置の送信電力の調整にあたり、
各設定温度に関して、前記（Ａ）乃至（Ｃ）の処理を行う、ことを特徴とする請求項２乃至５のいずれか１項に記載の無線通信装置の調整方法。
【請求項８】
前記無線通信装置の送信信号の周波数帯域を互いに異なる複数の周波数区間に分割し、
前記無線通信装置が、前記送信電力制御テーブルを、前記各モードに関して、互いに異なるいくつかの設定温度、前記複数の周波数区間の組み合せに対して備え、前記無線通信装置の送信電力の調整にあたり、各設定温度にそれぞれに対して、
前記各周波数区間に関して、前記（Ａ）乃至（Ｃ）の処理を行う、ことを特徴とする請求項２乃至５のいずれか１項に記載の無線通信装置の調整方法。
【請求項９】
送信信号を出力する電力モードとして複数のモードを有する送信部と、
モードの切替えを制御する処理装置を備え、さらに、
前記送信部の増幅器のゲインを制御するゲイン制御値と送信電力値との対応を含む送信電力制御テーブルを前記複数のモードに対応して備え、
複数のモードにそれぞれ対応する複数の前記送信電力制御テーブルは、送信電力調整時に、複数のモード間でモードの切替えを行い前記モード切替えに連動し前記切替え前後で測定された送信電力値を含む、ことを特徴とする無線通信装置。
【請求項１０】
前記処理装置は、
送信電力の調整の結果、各モードの前記送信電力制御テーブルにおいて、隣接するゲイン制御値の送信電力値の差電力が、１ステップ当りの変化量として予め定められた規格から外れている合、前記隣接する前記ゲイン制御値の一方の送信電力欄に、前記一方のゲイン制御値をスキップするための情報を設定し、
送信電力を１ステップ増加又は減少させる送信電力制御コマンドを受け、前記送信電力制御テーブルにおいて１つ増加又は減少させた先のゲイン制御値の送信電力の値が前記ゲイン制御値をスキップするための情報に設定されている場合、前記ゲイン制御値をスキップしてさらに１つ増加又は減少させたゲイン制御値の送信電力に設定する、ことを特徴とする無線通信装置。
【発明の詳細な説明】
【技術分野】
【０００１】
本発明は無線通信装置に関し、特に、携帯電話端末等に適用して好適な装置と調整方法に関する。
【０００２】
携帯電話端末等の無線通信装置では、低消費電力化の観点から、出力パワー（送信電力）によってバイアス電圧を制御し、モードを例えば２段階（ＨＰＭ（Ｈｉｇｈ  Ｐｏｗｅｒ  Ｍｏｄｅ）／ＬＰＭ（Ｌｏｗ  Ｐｏｗｅｒ  Ｍｏｄｅ））や３段階（ＨＰＭ／ＭＰＭ（Ｍｅｄｉｕｍ  Ｐｏｗｅｒ  Ｍｏｄｅ）／ＬＰＭ）と切替える電力増幅器（ＰＡ：Ｐｏｗｅｒ  Ａｍｐｌｉｆｉｅｒ）が主流になっている。なお、複数の送信モード（高出力モードと低出力モード）を持つ無線通信装置として例えば特許文献１等の記載が参照される。
【０００３】
このため、無線通信装置において、電力増幅器のモード切替え時における過渡応答等によって、例えば出力電力（送信電力）のずれが発生し、ＩＬＰＣ（Ｉｎｎｅｒ  Ｌｏｏｐ  Ｐｏｗｅｒ  Ｃｏｎｔｒｏｌ：内部ループ電力制御）特性が規格外になる例が発生することが知られている。ここで、ＩＬＰＣ特性とは、３ＧＰＰ（３ｒｄ  Ｇｅｎｅｒａｔｉｏｎ  Ｐａｒｔｎｅｒ  Ｐｒｏｊｅｃｔ）で規定されている送信電力制御に関する特性の一つであり、端末（ＵＥ：Ｕｓｅｒ  Ｅｑｕｉｐｍｅｎｔ）と基地局（ＮｏｄｅＢ／ｅＮｏｄｅＢ）間での電力制御に関するものである。
【０００４】
なお、ＩＬＰＣは、例えば基地局で受信信号品質（例えばＳＩＲ（Ｓｉｇｎａｌ  ｔｏ  Ｉｎｔｅｒｆｅｒｅｎｃｅ  Ｒａｔｉｏ：信号電力対干渉電力比））を測定し、該ＳＩＲの測定結果を閾値と比較し、該ＳＩＲが閾値よりも高い場合、送信電力レベルを下げるように指示する送信電力コマンド（ＴＰＣ：Ｔｒａｎｓｍｉｓｓｉｏｎ  Ｐｏｗｅｒ  Ｃｏｍｍａｎｄ）を端末（ＵＥ）に送信し、該ＳＩＲが閾値よりも低い場合には、送信電力レベルを上げるように指示する送信電力コマンドを端末に送信し、ＳＩＲが目標値に維持されるように制御する。このような制御を行うことで、基地局において配下の複数の端末（ＵＥ）からの受信電力を一定に維持することを可能としている。
【先行技術文献】
【特許文献】
【０００５】
【特許文献１】特開２００６−１８６６９０号公報
【特許文献２】特開２００３−３３２９１９号公報
【発明の概要】
【発明が解決しようとする課題】
【０００６】
本発明が解決しようとする課題について以下に概説する。
【０００７】
はじめに、電力増幅器におけるモード切替え時の過渡応答等によるＩＬＰＣ特性の劣化について説明する。
【０００８】
図１に、参考例として、ＨＰＭ／ＬＰＭの２モード電力増幅器において、モード切替え時の電力増幅器の電源電圧（Ｖｃｃ）の挙動（出力電力と電源電圧の特性）の一例を模式的に示す。図１において、横軸は電力増幅器の出力電力（Ｏｕｔｐｕｔ  Ｐｏｗｅｒ）、縦軸は電源電圧（Ｖｃｃ）である。図１においてＨＰＭの特性曲線（実線）とＬＰＭの特性曲線（破線）の相違は、例えば電力増幅器のバイアス（バイアス電流等）の相違に基づく。各特性曲線において、一定の電源電圧Ｖｃｃに対する出力電力（Ｏｕｔｐｕｔ  Ｐｏｗｅｒ）の変化は、電力増幅器を駆動する励振増幅器のゲイン（利得）の変化に対応する。なお、励振増幅器のゲインは電力増幅器の検波出力に基づき制御回路（ＡＧＣ（Ａｕｔｏ  Ｇａｉｎ  Ｃｏｎｔｒｏｌ））回路）等により自動で制御される。
【０００９】
図２、図３に、参考例として、ＨＰＭからＬＰＭのモード切替え時、ＬＰＭからＨＰＭのモード切替え時の電力増幅器の過渡応答の例をそれぞれ模式的に示す。図２、図３には、ＩＬＰＣ特性の規格外となる場合が例示されており、ＨＰＭとＬＰＭのモード切替の前後における：
（ａ）電力モード：Ｍｏｄｅ、
（ｂ）電力増幅器の電源電圧：Ｖｃｃ（理想）、
（ｃ）電力増幅器の出力電力（送信電力）：Ｐｏｗｅｒ変動（理想）、
（ｄ）電力増幅器の電源電圧：Ｖｃｃ（実動作）、
（ｅ）電力増幅器の出力電力（送信電力）：Ｐｏｗｅｒ変動（実動作）
が示されている。図２、図３において、横軸は時間である。
【００１０】
図２に模式的に示すように、電源電圧（Ｖｃｃ）は、ＨＰＭからＬＰＭにモードが切替わると上昇する。理想的には、モード切替え時に、瞬時に電源電圧Ｖｃｃが上昇するのが望ましい（図２（ｂ）のＶｃｃ（理想）参照）。しかしながら、実際には、モード切替え時における電源電圧Ｖｃｃの上昇は緩やかである（図２（ｄ）のＶｃｃ（実動作）参照）。このため、ＨＰＭからＬＰＭに切替わった後、定常状態になるまで出力電力（Ｐｏｗｅｒ）は変動する（図２（ｅ）のＰｏｗｅｒ変動（実動作）参照）。同様に、ＬＰＭからＨＰＭに切替わった後（図３）も、電源電圧Ｖｃｃの下降は緩やかであり、定常状態になるまで出力電力（Ｐｏｗｅｒ）は変動する（図３（ｅ）のＰｏｗｅｒ変動（実動作）参照）。
【００１１】
モード切替え時の電力増幅器の出力電力（Ｐｏｗｅｒ）の変動の影響等により、ゲインが変動し、その結果、ＩＬＰＣ特性の劣化につながる。
【００１２】
なお、電力増幅器は、ＣＰＵ（Ｃｅｎｔｒａｌ  Ｐｒｏｃｅｓｓｉｎｇ  Ｕｎｉｔ）等処理装置からのモード切替信号により、ＨＰＭ／ＬＰＭモード等に切り替えられる（例えば特許文献１の図１等参照）。
【００１３】
近年のフィーチャーフォン（通話機能を主体としその他カメラ機能やワンセグ等特徴的な機能を備えた高機能端末の通称）からスマートフォン（インターネット対応のＰＣベースのタッチパネル携帯端末）へのシフトで、端末（ＵＥ）の消費電力が多くなり、低消費電力化の観点から、ＡＰＴ（Ａｖｅｒａｇｅ  Ｐｏｗｅｒ  Ｔｒａｃｋｉｎｇ）技術が採用されている。ＡＰＴとは、電源（Ｖｃｃ）をＤＣ／ＤＣコンバータで降圧、最適化し、無線特性（ＡＣＬＲ：Ａｄｊａｃｅｎｔ  Ｃｈａｎｎｅｌ  Ｌｅａｋａｇｅ  Ｒａｔｉｏ：隣接チャネルリーク比）に影響が無い最低電圧のところで電力増幅器（ＰＡ）を動作させ、消費電力を削減させる技術である。
【００１４】
しかしながら、ＡＰＴを導入することで、モード切替え時の電源電圧（Ｖｃｃ）の変動が大きくなることによるゲイン変動が大きくなり、さらにＩＬＰＣ特性が劣化する、という課題がある。
【００１５】
一般的に、モード切替え機能を備えた電力増幅器を用いた無線通信装置の送信電力の調整は、モード毎に行われている。後述するように、モード毎に個別に行う調整を「通常調整」ともいう。
【００１６】
図４、図５は、無線通信装置の調整と動作を説明する図であり、無線通信装置内に保持される送信電力制御（ＴＰＣ：Ｔｒａｎｓｍｉｓｓｉｏｎ  Ｐｏｗｅｒ  Ｃｏｎｔｒｏｌ）テーブルの一部が示されている。この送信電力制御テーブルには、ＴＸＡＧＣ（ＴＸ  Ａｕｔｏ  Ｇａｉｎ  Ｃｏｎｔｒｏｌ：ＴＸ（ＲＦ（Ｒａｄｉｏ  Ｆｒｅｑｕｅｎｃｙ）送信部）の自動利得制御）の値（コード）と送信電力値（Ｐｏｗｅｒ）の対応が表形式で記憶されている。ＴＸＡＧＣとＰｏｗｅｒの対応表であることから、本明細書では、「ＴＸＡＧＣ−Ｐｏｗｅｒテーブル」（送信自動利得制御・送信電力テーブル）という。ＴＸＡＧＣの欄（カラム）は、ＲＦ送信部（ＴＸ）における励振増幅器の利得を制御する所定ビット数のディジタル信号である。Ｐｏｗｅｒの欄（カラム）は、当該ＴＸＡＧＣの値（コード）に対する電力増幅器の実際の送信電力値（出力電力値）である。
【００１７】
無線通信装置の調整時において、ＴＸＡＧＣに対応する送信電力値（Ｐｏｗｅｒ）の測定結果は、ＴＸＡＧＣ−Ｐｏｗｅｒテーブルに格納される。
【００１８】
図４において、（Ａ）、（Ｂ）は、ＨＰＭモードとＬＰＭモードにおける、ＴＸＡＧＣ−Ｐｏｗｅｒテーブルの一部を示している。図４の例では、ＴＸＡＧＣ−Ｐｏｗｅｒテーブルの送信電力値（Ｐｏｗｅｒ）は１ステップあたり０．７ｄＢｍ（ｄＢｍは１ｍＷを０ｄＢ（デシベル）としたもの）である。すなわち、ＴＸＡＧＣの値が１つ増えると、送信電力値（Ｐｏｗｅｒ）は０．７ｄＢｍ増加する。
【００１９】
例えば、ＨＰＭ、ＬＰＭの２モードの場合、無線通信装置の調整時には、ＨＰＭとＬＰＭのモードを切替えて２回の掃引を行う。１回の掃引では、ＴＸＡＧＣ−ＰｏｗｅｒテーブルのＴＸＡＧＣの値の下限値から上限値（あるいは上限値から下限値）までの各値を励振増幅器に設定して送信電力の測定を行い、測定結果（送信電力値）をＴＸＡＧＣ−Ｐｏｗｅｒテーブルの対応する行のＰｏｗｅｒに格納する。なお、送信電力の測定にあたり、無線通信装置からは、ＴＸＡＧＣに対応するゲインと設定されたモードで増幅されたバースト信号が出力され、測定器で測定が行われる。
【００２０】
図４の（Ａ）、（Ｂ）のＴＸＡＧＣ−Ｐｏｗｅｒテーブルにおいて、四角で囲んだ行（（Ａ）のＴＸＡＧＣ＝８０と、（Ｂ）のＴＸＡＧＣ＝８７）は、モード切替の閾値に対応している。なお、ＨＰＭとＬＰＭ間でのモード切替の閾値の送信電力（Ｐｏｗｅｒ）は１２ｄＢｍに設定されている。
【００２１】
電力増幅器がＨＰＭモードで動作時、ＴＸＡＧＣが「８０」、すなわち、送信電力（Ｐｏｗｅｒ）が１２ｄＢｍとなると、これより低い値の送信電力については、モード切替により、ＬＰＭモードとなり、ＬＰＭモードで対応するＴＸＡＧＣの値は「８７」となり、送信電力（Ｐｏｗｅｒ）は１０．９ｄＢとなる。
【００２２】
図４に示すように、調整どおりに動作していれば、送信電力は、
・モード切替前のＨＰＭで＋１２．０ｄＢｍ、
・モード切替後のＬＰＭで＋１０．９ｄＢｍ、
となり、その差電力ΔＰｏｗｅｒは、
ΔＰｏｗｅｒ＝（＋１０．９）−（＋１２．０）
＝−１．１ｄＢ
となる。
【００２３】
モード切替前後の電力の差ΔＰｏｗｅｒ（１ステップサイズの差電力）に関してＩＬＰＣ特性の仕様（3GPP(Third Generation Partnership Project）の仕様、例えば3GPP TS 34.121-1 V10.0.0 (2011-09) 3rd Generation Partnership Project; Technical Specification Group Radio Access Network; User Equipment (UE) conformance specification; Radio transmission and reception (FDD); Part 1: Conformance specification(Release 10)  5.4.2A Inner Loop Power Control in the Uplink for DC-HSUPA、5.4.2A.5 Test requirements、Table 5.4.2A.5.1: Transmitter power control range参照）によれば、
−０．４ｄＢ〜−１．６ｄＢ
である。このため、上記ΔＰｏｗｅｒ＝−１．１ｄＢは、ＩＬＰＣ特性の仕様に収まっており、問題はない。
【００２４】
無線通信装置の実動作時も、調整どおりに動作するのであれば、問題ないが、実際は、上記したように、モード切替え時の過渡応答によるパワーのズレが発生するため、モード切替え時点でのＩＬＰＣ特性が劣化する。
【００２５】
無線通信装置の実動作時のモード切替え時のパワーは、図５に模式的に示すように、ＨＰＭモードにおいてＴＸＡＧＣ＝８０に対する送信電力（Ｐｏｗｅｒ）＝＋１２．０ｄＢｍから、ＬＰＭモードに切り替わると、ＴＸＡＧＣ＝８７に対する送信電力（Ｐｏｗｅｒ）は＋１０．３ｄＢｍとなり、差電力ΔＰｏｗｅｒは
ΔＰｏｗｅｒ＝（＋１０．３）−（＋１２．０）
＝−１．７ｄＢ
となる。この場合、差電力ΔＰｏｗｅｒは、ＩＬＰＣ特性の仕様：−０．４ｄＢ〜−１．６ｄＢから外れ、不可（Ｎ／Ａ：Ｎｏｔ  Ａｐｐｌｉｃａｂｌｅ）となる。
【００２６】
なお、図５では、ＨＰＭモードでのＴＸＡＧＣ−ＰｏｗｅｒテーブルのＴＸＡＧＣ＝８０以下のＴＸＡＧＣに対するテーブルの内容として、破線で示すように、ＬＰＭモードでのＴＸＡＧＣ−ＰｏｗｅｒテーブルのＴＸＡＧＣ＝８０以下のテーブルの内容をつなげて示している。ＨＰＭモードでＴＸＡＧＣ＝８０以下（送信電力＝１２ｄＢｍ以下）については、ＬＰＭモードへのモード切替後、ＬＰＭモードでのＴＸＡＧＣ＝８７以下の利得制御により、送信電力が制御される。
【００２７】
このように、モード切替え時において電源電圧Ｖｃｃの変動が大きくなることによる、電力増幅器のゲインの変動が大きくなり、さらに、ＩＬＰＣ特性が劣化する。
【００２８】
無線通信装置の送信電力の調整では、モード切替え時の送信電力の変動は考慮されていないため新たな調整手法が必要となってくる（本発明者の知見）。
【００２９】
したがって、本発明は、上記問題点に鑑みてなされたものであって、その目的は、電力モードの切替機能を備えた無線通信装置に対して、ＩＬＰＣ特性の改善を可能とする調整方法と装置を提供することある。
【課題を解決するための手段】
【００３０】
本発明の１つの側面によれば、送信信号を出力する電力モードとして複数のモードを有する送信部と、前記モードの切替えを制御する処理装置を備え、さらに前記送信部の増幅器のゲインを制御するゲイン制御値と送信電力値との対応を含む送信電力制御テーブルを、前記複数のモードに対応して備えた無線通信装置の送信電力の調整にあたり、
（Ａ）各ゲイン制御値に対応する送信電力を測定して前記送信電力制御テーブルを作成する調整処理を、モード毎に個別に行い、
（Ｂ）予め定められた複数のゲイン制御値の各々に対して、複数のモード間でモードの切替えを行い前記モード切替えに連動し前記切替え前後で送信電力を測定し、前記モード切替えに連動して測定した送信電力で、前記（Ａ）で作成した各モードに対応する前記送信電力制御テーブルを修正する、無線通信装置の調整方法が提供される。
【００３１】
本発明の別の側面によれば、送信信号を出力する電力モードとして複数のモードを有する送信部と、モードの切替えを制御する処理装置を備え、さらに、前記送信部の増幅器のゲインを制御するゲイン制御値と送信電力値との対応を含む送信電力制御テーブルを前記複数のモードに対応して備え、
複数のモードにそれぞれ対応する複数の前記送信電力制御テーブルは、送信電力調整時に、複数のモード間でモードの切替えを行い前記モード切替えに連動し前記切替え前後で測定された送信電力値を含む無線通信装置が提供される。
【発明の効果】
【００３２】
本発明によれば、電力モードの切替え機能を備えた無線通信装置に対してＩＬＰＣ特性を改善することができる。
【図面の簡単な説明】
【００３３】
【図１】モード切替えとＶｃｃの関係を示す図である。
【図２】ＩＰＬＣ特性の規格外の原因を説明する図である。
【図３】ＩＰＬＣ特性の規格外の原因を説明する図である。
【図４】パワー調整例を示す図である。
【図５】パワー調整例を示す図である。
【図６】本発明の実施形態においてモード切替え時パワー測定を説明する図（その１）である。
【図７】本発明の実施形態においてモード切替え時パワー測定を説明する図（その２）である。
【図８】本発明の実施形態においてモード切替え時パワー測定（スキップ処理）を説明する図（その１）である。
【図９】本発明の実施形態においてモード切替え時パワー測定（スキップ処理）を説明する図（その２）である。
【図１０】（Ａ）、（Ｂ）は本発明の第１の実施形態の測定システム構成を示す図である。
【図１１】本発明の第１の実施形態の処理手順を説明する流れ図である。
【図１２】図１１のモード切替え時パワー測定の処理手順を説明する流れ図である。
【図１３】図１１のスキップ処理の検討の処理手順を説明する流れ図である。
【図１４】本発明の第２の実施形態の処理手順を説明する流れ図である。
【図１５】本発明の第２の実施形態のＴＸＡＧＣ−Ｐｏｗｅｒテーブルを例示する図である。
【図１６】本発明の第３の実施形態の処理手順を説明する流れ図である。
【図１７】本発明の第３の実施形態のＴＸＡＧＣ−Ｐｏｗｅｒテーブルを例示する図である。
【図１８】本発明の第４の実施形態の処理手順を説明する流れ図である。
【発明を実施するための形態】
【００３４】
本発明の好ましい形態においては、送信信号を出力する電力モードとして複数のモードを有する送信部（ＴＸ）を備え、さらに前記送信（ＴＸ）部の増幅器のゲインを制御するゲイン制御値（ＴＸＡＧＣ）と送信電力値（Ｐｏｗｅｒ）との対応を含む送信電力制御テーブル（ＴＸＡＧＣ−Ｐｏｗｅｒテーブル）を、前記複数のモードに対応して備えた無線通信装置の送信電力の調整にあたり、以下のステップ（Ａ）、（Ｂ）を含む。
（Ａ）各ゲイン制御値（ＴＸＡＧＣ）に対応する送信電力を測定して前記送信電力制御テーブルを作成する調整処理を、モード毎に個別に行い（図１１のステップＳ１１〜Ｓ１４）。
（Ｂ）予め定められた複数のゲイン制御値の各々に対して、複数のモード間でモードの切替えを行い前記モード切替えに連動し前記切替え前後で送信電力を測定し、前記モード切替えに連動して測定した送信電力で、前記（Ａ）で作成した各モードに対応する前記送信電力制御テーブルを修正する（図１１のステップＳ１５、図１２）。
【００３５】
本発明の好ましい形態においては、
（Ｃ）前記送信電力制御テーブル（ＴＸＡＧＣ−Ｐｏｗｅｒテーブル）の前記修正の結果、隣接するゲイン制御値の１ステップ当りの送信電力値の変化量が、予め定められた規格から外れている場合（図８（Ａ）、（Ｂ）の※参照）、前記隣接するゲイン制御値のうち一方のゲイン制御値の送信電力欄に、送信電力制御において前記対応するゲイン制御値をスキップするための情報（図９（Ａ）、（Ｂ）の「９９９」参照）を格納するようにしてもよい。
【００３６】
本発明の好ましい形態においては、
前記（Ｂ）において、
・前記送信電力制御テーブルに対して、モードの切替えを行うために予め定められた送信電力の閾値に対応付けされるゲイン制御値をモード毎に決定し、前記送信電力制御テーブルに対して閾値前後の所定の範囲（例えば図６（Ａ）、（Ｂ）の破線で囲んだ領域）をモード毎に設定し（図１２のステップＳ２１）、
・一つのゲイン制御値（ＴＸＡＧＣ）に対する送信電力の測定毎にモードの切替えを行うことで前記所定の範囲の各ゲイン制御値（ＴＸＡＧＣ）の送信電力を測定し（図７、図１２のステップＳ２２、Ｓ２３）、
前記（Ｃ）において、
・前記（Ａ）の調整処理（モード毎に個別の通常調整）で作成した各モードに対応する前記送信電力制御テーブルの前記修正として、前モード切替えに連動し前記切替え前後に測定した送信電力値（図７（Ｃ）、（Ｄ））で、前記送信電力制御テーブルの前記所定の範囲に対応する送信電力欄の値を更新する（図１２のステップＳ２４）ようにしてもよい。
【００３７】
本発明の好ましい形態においては、前記送信信号を出力する前記電力モードとして少なくとも第１、第２のモード（例えばＨＰＭ、ＬＰＭ）を含み、
前記（Ｂ）において、
・前記第１、第２のモード（ＨＰＭ、ＬＰＭ）に対応する第１、第２の前記送信電力制御テーブルに対して、モードの切替えを行うために予め定められた送信電力の閾値に対応付けされる第１、第２のゲイン制御値（ＴＸＡＧＣ）（例えば図６（Ａ）の８０、図６（Ｂ）の８９）を決定し、前記第１、第２の前記送信電力制御テーブルに対して前記第１、第２のゲイン制御値前後の第１、第２の所定の範囲（例えば図６（Ａ）、（Ｂ）の破線で囲んだ領域）を設定し（図１２のステップＳ２１）、
・一つのゲイン制御値（ＴＸＡＧＣ）に対する送信電力の測定毎に、前記第１と第２のモードを交互に切替えていくことで（図７）、前記第１、第２の所定の範囲の各ゲイン制御値の送信電力を測定し（図１２のステップＳ２２、Ｓ２３）、
・前記第１、第２のモード切替えに連動し前記切替え前後に測定した前記第１、第２の所定の範囲の各送信電力値（図７（Ｃ）、（Ｄ））で、前記（Ａ）で作成した前記第１、第２の送信電力制御テーブルの前記第１、第２の所定の範囲にそれぞれ対応する送信電力欄の値を更新する、ようにしてもよい。
【００３８】
本発明の好ましい形態においては、前記（Ｃ）において、前記送信電力制御テーブルの修正の結果、前記所定の範囲内の上限又は下限のゲイン制御値の送信電力値と、前記上限又は下限のゲイン制御値に隣接するゲイン制御値の送信電力値の差電力が、前記規格外であるか判定し、前記規格外である場合（図８（Ａ）、（Ｂ）の※参照）、前記所定の範囲内の上限又は下限、又は前記上限又は下限に隣接するゲイン制御値の送信電力欄に、送信電力制御において、前記ゲイン制御値をスキップするための情報（図９（Ａ）、（Ｂ）の「９９９」参照）を設定するようにしてもよい。
【００３９】
本発明の好ましい形態においては、前記無線通信装置が、前記送信電力制御テーブルを、前記各モードに関して、複数の周波数区間のそれぞれに対して備え（図１５参照）、前記無線通信装置の送信電力の調整にあたり、各周波数区間に関して、前記（Ａ）乃至（Ｃ）の処理を行うようにしてもよい（図１４参照）。
【００４０】
本発明の好ましい形態においては、前記無線通信装置が、前記送信電力制御テーブルを、前記各モードに関して、互いに異なるいくつかの設定温度のそれぞれに対して備え（図１７参照）、前記無線通信装置の送信電力の調整にあたり、各設定温度に関して、前記（Ａ）乃至（Ｃ）の処理を行うようにしてもよい（図１６参照）。
【００４１】
本発明の好ましい形態においては、前記送信信号の周波数帯域を複数の周波数区間に分割し、前記無線通信装置が、前記送信電力制御テーブルを、前記各モードに関して、互いに異なるいくつかの設定温度、互いに異なる複数の周波数区間の組み合せに対して備え、前記無線通信装置の送信電力の調整にあたり、各設定温度にそれぞれに対して、前記各周波数区間に関して、前記（Ａ）乃至（Ｃ）の処理を行うようにしてもよい（図１８参照）。
【００４２】
本発明の好ましい形態によれば、無線通信装置の実動作時のパワー変動を再現するために、モード毎に個別に送信電力の調整（モード毎に個別に、送信電力測定を行いＴＸＡＧＣ−Ｐｏｗｅｒテーブルを作成するもので、以下では、簡単のため「通常調整」という）を行った後に、本発明によって新規に提案される「モード切替え時パワー測定」を行う。「モード切替え時パワー測定」とは、例えばＨＰＭで送信電力測定後、ＬＰＭへモードを切替えて送信電力を測定し、ＬＰＭで送信電力測定後、ＨＰＭへモードを切替えて送信電力を測定器で測定するという具合に、モードを交互に切替え、該切替に連動して切替前後に送信電力の測定を行う。本発明の好ましい形態によれば、「モード切替え時パワー測定」によるモード切替前後の送信電力値で、モード毎に個別に作成されたＴＸＡＧＣ−Ｐｏｗｅｒテーブルを修正する。さらに、記各モードの送信電力制御テーブルの修正の結果、送信電力制御テーブルにおいて、ＴＸＡＧＣの１ステップあたりの送信電力値の変化量（ΔＰｏｗｅｒ）が、予め定められた規格外である場合には、例えばＴＸＡＧＣの隣のＴＸＡＧＣ±１のＰｏｗｅｒの欄に、ＩＰＬＣにおいて、当該ＴＸＡＧＣ＋１又は、当該ＴＸＡＧＣ−１をスキップするための情報（予め定められた値等）を設定する。以下、いくつかの実施形態に即して説明する。
【００４３】
＜実施形態１＞
図６は、本発明の第１の実施形態におけるモード切替え時パワー測定を用いた調整の様子を表したものである。図６において、（Ａ）、（Ｂ）は、モード毎に個別に送信電力を測定してＴＸＡＧＣ−Ｐｏｗｅｒテーブルを作成する「通常調整」後の、ＨＰＭ、ＬＰＭモードのＴＸＡＧＣ−Ｐｏｗｅｒテーブル、（Ｃ）、（Ｄ）は、「モード切替え時パワー測定」後のＨＰＭ、ＬＰＭモードのＴＸＡＧＣ−Ｐｏｗｅｒテーブルの一部を表している。
【００４４】
本実施形態では、「通常調整」を行った後に、「モードの切替え範囲」を設定する（図６の（Ａ）、（Ｂ）の破線で囲んだ領域）。例えば、ＨＰＭとＬＰＭのモード切替え閾値を＋１２ｄＢｍとした場合、ＨＰＭとＬＰＭのＴＸＡＧＣ−Ｐｏｗｅｒテーブルで、＋１２ｄＢｍに最も近い、ＴＸＡＧＣに対して、±２の範囲をモードの切替え範囲に設定する。図６の（Ａ）では、ＴＸＡＧＣが７８〜８２の範囲、図６の（Ｂ）では、ＴＸＡＧＣが８７〜９１の範囲をモードの切替え範囲とする。
【００４５】
そして、「モードの切替え範囲」で「モード切替え時パワー測定」を行う。すなわち、ＨＰＭとＬＰＭをモードを切替えながら、無線通信装置の送信電力（Ｐｏｗｅｒ）を測定し、測定した送信電力値を、ＴＸＡＧＣに対応するＰｏｗｅｒの欄に設定し、ＨＰＭとＬＰＭのＴＸＡＧＣ−Ｐｏｗｅｒテーブルを修正する（図６の（Ｃ）、（Ｄ）参照）。
【００４６】
「モードの切替え範囲」に対する「モード切替え時パワー測定」について、図７を参照して説明する。図７（Ａ）、（Ｂ）は「通常調整」後のＨＰＭとＬＰＭのＴＸＡＧＣ−Ｐｏｗｅｒテーブルである図６（Ａ）、（Ｂ）の破線で囲んだモードの切替え範囲に対応する。図７（Ａ）、（Ｂ）には、「モード切替え時パワー測定」の測定順序の一例が矢印で示されている。図７（Ｃ）、（Ｄ）は、「モード切替え時パワー測定」による「モードの切替え範囲」のＨＰＭとＬＰＭの送信電力値の測定結果を示している。図７（Ｃ）、（Ｄ）の測定結果で、図６（Ａ）、（Ｂ）の「通常調整」後のＨＰＭとＬＰＭのＴＸＡＧＣ−Ｐｏｗｅｒテーブルを修正した結果が、図６（Ｃ）、（Ｄ）にそれぞれ対応し、図６（Ｃ）、（Ｄ）の破線で囲んだモードの切替え範囲（修正後のＨＰＭとＬＰＭのＴＸＡＧＣ−Ｐｏｗｅｒテーブル）は、図７（Ｃ）、（Ｄ）に対応する。
【００４７】
はじめに電力増幅器をＨＰＭモードとし（無線通信装置のＣＰＵにより電力モードを設定する）、ＴＸＡＧＣ＝８２として送信電力を、測定器で測定し（（図７（Ｃ）：実測Ｐｏｗｅｒ＝１３．４ｄＢｍ）、その後、ＬＰＭモードに切替え（無線通信装置のＣＰＵにより電力モードを設定する）、ＴＸＡＧＣ＝９１として送信電力を測定器で測定する（図７（Ｄ）：実測Ｐｏｗｅｒ＝１３．１ｄＢｍ）。
【００４８】
再び、電力増幅器をＨＰＭモードに切替え、「モードの切替え範囲」の上限のＴＸＡＧＣ＝８１として送信電力を測定器で測定し（図７（Ｃ）：実測Ｐｏｗｅｒ＝１３．２ｄＢｍ）、ＬＰＭモードに切替え、ＴＸＡＧＣ＝９０として送信電力を測定器で測定する（図７（Ｄ）：実測Ｐｏｗｅｒ＝１２．５ｄＢｍ）。
【００４９】
再び、電力増幅器をＨＰＭモードに切替え、ＴＸＡＧＣ＝８０として送信電力を測定器で測定し（図７（Ｃ）：実測Ｐｏｗｅｒ＝１２．４ｄＢｍ）、次に、ＬＰＭモードに切替え、ＴＸＡＧＣ＝８９として送信電力を測定器で測定する（図７（Ｄ）：実測Ｐｏｗｅｒ＝１１．９ｄＢｍ）。
【００５０】
再び、電力増幅器をＨＰＭモードに切替え、ＴＸＡＧＣ＝７９として送信電力を測定器で測定し（図７（Ｃ）：実測Ｐｏｗｅｒ＝１１．８ｄＢｍ）、次に、ＬＰＭモードに切替え、ＴＸＡＧＣ＝８８として送信電力を測定器で測定する（図７（Ｄ）：実測Ｐｏｗｅｒ＝１１．０ｄＢｍ）。
【００５１】
再び、電力増幅器をＨＰＭモードに切替え、「モードの切替え範囲」の下限のＴＸＡＧＣ＝７８として送信電力を測定器で測定し（図７（Ｃ）：実測Ｐｏｗｅｒ＝１１．０ｄＢｍ）、次に、ＬＰＭモードに切替え、ＴＸＡＧＣ＝８７として送信電力を測定器で測定する（図７（Ｄ）：実測Ｐｏｗｅｒ＝１０．３ｄＢｍ）。
【００５２】
こうすることで、ＨＰＭとＬＰＭのＴＸＡＧＣ−Ｐｏｗｅｒテーブルにおいて、無線通信装置の実動作時と同様の、モード切替え時の送信電力（Ｐｏｗｅｒ）の変動を再現することができる。
【００５３】
「モード切替え時パワー測定」の測定結果（図７（Ｃ）、（Ｄ））で、ＨＰＭとＬＰＭのＴＸＡＧＣ−Ｐｏｗｅｒテーブルを修正する（図６（Ｃ）、（Ｄ）参照）。この結果、無線通信装置の実動作時のＩＬＰＣ特性の劣化を改善することができる。
【００５４】
なお、電力モードとして、例えばＨＰＭ、ＭＰＭ、ＬＰＭ等の３つのモードがある場合の「モード切替え時パワー測定」では、「モードの切替え範囲」内の各ＴＸＡＧＣに対して、例えば、ＨＰＭでの送信電力測定→モード切替→ＭＰＭでの送信電力測定→モード切替→ＬＰＭでの送信電力測定→モード切替→ＨＰＭでの送信電力測定→モード切替→・・・という具合に、モード切替処理と測定が連動して行われる。なお、モード切替の順番として、ＬＰＭ→モード切替→ＭＰＭ→モード切替→ＨＰＭ・・・等であってもよい。
【００５５】
ＴＸＡＧＣ−Ｐｏｗｅｒテーブルにおいて、モード毎個別に調整が行われる「通常調整」による調整箇所と、本実施形態による「モード切替え時パワー測定」で修正した箇所の境目で、ＩＬＰＣ特性が仕様に対して不可（Ｎ／Ａ：Ｎｏｔ  Ａｐｐｌｉｃａｂｌｅ）となる可能性がある。
【００５６】
図８（Ａ）、（Ｂ）は、ＨＰＭとＬＰＭモードのＴＸＡＧＣ−Ｐｏｗｅｒテーブルにおいて、「モード切替え時パワー測定」で修正した箇所の境目でＩＬＰＣ特性が規格外となる場合の例を示している。図８（Ａ）、（Ｂ）において、破線で囲んだ領域は、「モードの切替え範囲」に対応し、「モード切替え時パワー測定」によるテーブル修正箇所（図６（Ｃ）、（Ｄ）の破線で囲んだ領域）を表している。
【００５７】
図８（Ａ）では、記号※で指示するように、「モード切替え時パワー測定」で測定されたＴＸＡＧＣ＝８１とＴＸＡＧＣ＝８２の１ステップの送信電力の差分ΔＰｏｗｅｒは、
ΔＰｏｗｅｒ＝（＋１３．２）−（＋１３．４）
＝−０．２ｄＢ
となり、ＩＰＬＣ特性の仕様の下限：±０．４ｄＢに対して規格外となり不可（Ｎ／Ａ）となる。
【００５８】
図８（Ｂ）では、記号※で指示すように、「モード切替え時パワー測定」で測定されたＴＸＡＧＣ＝８７とその境界のＴＸＡＧＣ＝８６の１ステップの送信電力の差分ΔＰｏｗｅｒは、
ΔＰｏｗｅｒ＝（＋１０．３）−（＋１０．２）
＝０．１ｄＢ
となり、ＩＰＬＣ特性の仕様の下限：±０．４ｄＢに対して規格外となり、不可（Ｎ／Ａ）となる。
【００５９】
そこで、ＨＰＭとＬＰＭのＴＸＡＧＣ−Ｐｏｗｅｒテーブルにおいて、破線で囲んだ範囲が、「モード切替え時パワー測定」によるテーブル修正箇所であり、その境目の部分で、ＴＸＡＧＣを１つスキップ（飛ばす）させる処理を行うかどうかの検討を行う必要がある。
【００６０】
図９（Ａ）、（Ｂ）は、スキップ処理の検討の様子を示している。スキップが必要な場合は、例えばＴＸＡＧＣ−Ｐｏｗｅｒテーブルにおいて、スキップ対象のＴＸＡＧＣのエントリのＰｏｗｅｒの欄にスキップ信号として任意の値（例えば図９（Ａ）、（Ｂ）では、「９９９」）を格納し、端末（ＵＥ）側で識別させて、スキップさせる制御を行う。図９（Ａ）、（Ｂ）では、図８（Ａ）、（Ｂ）のＨＰＭと、ＬＰＭのＴＸＡＧＣ−Ｐｏｗｅｒテーブルにおいて、１ステップの差分ΔＰｏｗｅｒが、ＩＰＬＣ特性の仕様から外れたＴＸＡＧＣ＝８１、８２と、ＴＸＡＧＣ＝８６、８７に対して、ＴＸＡＧＣ＝８２のＰｏｗｅｒ欄と、ＴＸＡＧＣ＝８６のＰｏｗｅｒ欄に、それぞれ「９９９」が設定されている。
【００６１】
ＩＰＬＣにおいて、基地局からの送信電力制御コマンドで送信電力を１ステップ、アップする場合に、該当するＴＸＡＧＣにおいて、ＴＸＡＧＣ−ＰｏｗｅｒテーブルのＰｏｗｅｒ値に「９９９」が設定されている場合には、当該ＴＸＡＧＣを１つスキップさせる。例えば図９（Ａ）を参照すると、例えばＨＰＭのＴＸＡＧＣ−Ｐｏｗｅｒテーブルにおいて、ＴＸＡＧＣ＝８１に対応する送信電力に設定されている場合、基地局からの送信電力制御コマンドで送信電力を１ステップ、アップする場合、１つ上のＴＸＡＧＣ＝８２にはＰｏｗｅｒ値に「９９９」が設定されているため、さらに１つ上のＴＸＡＧＣ＝８３に設定し、Ｐｏｗｅｒ値は１４．１ｄＢｍとなる（図９（Ａ）の※の矢印参照）。逆に、例えばＴＸＡＧＣ＝８３から１ステップ、ダウンさせる場合、ＴＸＡＧＣ＝８２をスキップし、ＴＸＡＧＣ＝８１に設定される。このとき、ＴＸＡＧＣ＝８３と８１の送信電力の差ΔＰｏｗｅｒは、
ΔＰｏｗｅｒ＝（＋１４．１）−（＋１３．２）
＝０．９ｄＢ
となり、ＩＰＬＣ特性の仕様：±０．４ｄＢ〜±１．６ｄＢの範囲内に収まる。
【００６２】
図９（Ｂ）を参照すると、例えばＬＰＭのＴＸＡＧＣ−Ｐｏｗｅｒテーブルにおいて、ＴＸＡＧＣ＝８７に対応する送信電力に設定されている場合、送信電力制御コマンドで送信電力を１ステップ、ダウンさせる場合、１つ下のＴＸＡＧＣ＝８６にはＰｏｗｅｒ値に「９９９」が設定されているため、さらに１つ下のＴＸＡＧＣ＝８５に設定し、Ｐｏｗｅｒ値は９．５ｄＢｍとなる（図９（Ｂ）の※の矢印参照）。逆に、例えばＴＸＡＧＣ＝８５から１ステップ、アップする場合、ＴＸＡＧＣ＝８６をスキップし、ＴＸＡＧＣ＝８７に設定される。ＴＸＡＧＣ＝８７と８５の送信電力の差ΔＰｏｗｅｒは、
ΔＰｏｗｅｒ＝（＋１０．３）−（＋９．５）
＝０．８ｄＢ
となり、ＩＰＬＣ特性の仕様：±０．４ｄＢ〜±１．６ｄＢの範囲内に収まる。
【００６３】
このように、スキップ処理を行うことで、「モード切替え時パワー測定」でＴＸＡＧＣ−Ｐｏｗｅｒテーブルを修正したことによる送信電力値のズレ（規格外となること）を回避することができる。
【００６４】
本実施形態において、「モード切替え時パワー測定」は、「通常調整」の実行後に行う。例えば、ＨＰＭ／ＬＰＭの２モードの電力増幅器を想定する。まず、ＨＰＭとＬＰＭの各モードそれぞれのＴＸＡＧＣを設定する。
【００６５】
そして、ＨＰＭのＴＸＡＧＣ（例えば０〜MAX値まで、あるいはその逆）を掃引し、それぞれの送信電力を測定し、測定値をＨＰＭのＴＸＡＧＣ−Ｐｏｗｅｒテーブルの該当するＴＸＡＧＣのＰｏｗｅｒの欄に格納する。ＬＰＭに関しても同様に、ＴＸＡＧＣを掃引し、それぞれの送信電力を測定し、測定値をＬＰＭのＴＸＡＧＣ−Ｐｏｗｅｒテーブルの該当するＴＸＡＧＣのＰｏｗｅｒの欄に格納する。
【００６６】
つづいて、「モード切替え時パワー測定」を行う。まず、無線特性を考慮して決まっている送信電力のモード切替え閾値（例えば図４ではＨＰＭからＬＰＭへのモード切替閾値は１２ｄＢｍ）に最も近いＴＸＡＧＣ値の前後（任意）を、ＨＰＭとＬＰＭを切替えながら送信電力の測定を行い、測定結果に基づき、ＴＸＡＧＣ−Ｐｏｗｅｒテーブルを修正する。
【００６７】
次に、「モード切替え時パワー測定」の実行より生じる、「通常調整」によるＴＸＡＧＣ−Ｐｏｗｅｒテーブルの境目の送信電力値（Ｐｏｗｅｒ）のズレを回避するために、上記した「スキップ処理」の検討を行う。
【００６８】
上記一連の工程により、モード切替え時の過渡応答によるＩＬＰＣ特性の劣化を回避することが可能となる。
【００６９】
図１０は、本発明の一実施形態の測定システムの構成を示す図である。図１０（Ａ）には、被調整対象の無線通信装置１２と、測定装置として、無線通信装置１２の送信電力を測定する測定器を備えたテスタ（Ｔｅｓｔｅｒ）９、及び、パソコン（ＰＣ）１０を備えた構成が模式的に示されている。図１０（Ｂ）には、無線通信装置１２のＲＦ装置の送信部（ＴＸ）の概略構成が示されている。
【００７０】
図１０（Ａ）を参照すると、無線通信装置１２は、ＣＰＵ装置１と、ディジタル信号処理装置（ＤＢＢ）２と、ＲＦ装置３と、メモリ装置４と、電源装置５と、バッテリー６と、アンテナ７と、Ｉ／Ｏポート８とを備えている。テスタ（Ｔｅｓｔｅｒ）９と、パソコン（ＰＣ）１０は、無線通信装置１２のＩ／Ｏポート８に接続される。
【００７１】
ＣＰＵ装置１は、ディジタル信号処理装置（ＤＢＢ：Ｄｉｇｉｔａｌ  ＢａｓｅＢａｎｄ）２、ＲＦ装置３、メモリ装置４、電源装置５とのデータ、制御信号の送受を行い、これらを制御する。ディジタル信号処理装置（ＤＢＢ）２は、ＲＦ装置３からの受信信号をディジタル信号処理（復調・復号処理等）を行ってＣＰＵ装置１へ送り、ＣＰＵ装置１からの送信信号に対してディジタル信号処理（符号化・変調処理等）を行ってＲＦ装置３へ送る。さらに、ディジタル信号処理装置（ＤＢＢ）２は、ＲＦ装置３の送信部（ＴＸ）３１の送信電力制御を行う。ＲＦ装置３の送信部（ＴＸ）３１内の電力増幅器（ＰＡ）に供給する電圧を決定し、電源装置５の電圧を制御する。ディジタル信号処理装置（ＤＢＢ）２は、さらに図６等を参照して説明したＴＸＡＧＣ−Ｐｏｗｅｒテーブルを保持する。なお、ＴＸＡＧＣ−Ｐｏｗｅｒテーブルは電気的に書き込み・消去可能は不揮発性メモリ等に保持してもよい。
【００７２】
ＲＦ装置３の受信部（ＲＸ）３２は、無線信号の復調を行い、アナログ・デジタル（ＡＤ）変換した（Ｉ（Ｉｎ−Ｐｈａｓｅ）、Ｑ（Ｑｕａｄｒａｔｕｒｅ−Ｐｈａｓｅ）信号）、ディジタル信号処理装置２へ送る。
【００７３】
また、ＲＦ装置３の送信部（ＴＸ）３１は、ディジタル信号処理装置（ＤＢＢ）２からの信号（Ｉ、Ｑ信号）をデジタルアナログ変換器（ＤＡＣ）でアナログ信号に変換し、ミキサ（ＭＩＸ）にて局発信号で直交変調してＲＦ信号に変換し、励振増幅器（ＤＲＶ：Ｄｒｉｖｅｒ  ＡＭＰ．）、図示されないフィルタ、電力増幅器（ＰＡ）を介して、共用器（ＤＵＰ）３３からアンテナ７に出力する。また電力増幅器（ＰＡ）からの出力信号は検波器（ＤＥＴ）で検波され、検波電圧を不図示のアナログ・デジタル変換器でＡＤ変換し、ディジタル信号処理装置（ＤＢＢ）２へ送る。ディジタル信号処理装置（ＤＢＢ）２は、検波電圧の変換結果に基づき、送信部（ＴＸ）３１の励振増幅器（ＤＲＶ）に供給する自動ゲイン信号（ＡＧＣ信号）を制御し、そのゲインを可変に制御する。すなわち、励振増幅器（ＤＲＶ）の増幅出力を制御し、電力増幅器（ＰＡ）から出力される電力（送信電力）を制御する。ＣＰＵ装置１は電力モードの設定（切替え）を制御し、ディジタル信号処理装置（ＤＢＢ）２を介して、送信部（ＴＸ）３１の電力増幅器（ＰＡ）にモード切替信号を供給する。電力増幅器（ＰＡ）はモード切替信号の値に応じた電力モードで送信信号を出力する。なお、送信電力測定時には、ＣＰＵ装置１からバースト信号が供給される。
【００７４】
メモリ装置４は制御情報等が書き込まれており、ＣＰＵ装置１が制御に応じて読み取る。電源装置５は、ＣＰＵ装置１からの制御に従い、ＣＰＵ装置１、ディジタル信号処理２、ＲＦ装置３、メモリ装置４の電源供給を行う。ディジタル信号処理装置２からの制御に従い、電力増幅器（ＰＡ）に電源供給する。バッテリー６は、電源装置５経由で装置全体に電圧を供給する。
【００７５】
アンテナ７は、共用器（ＤＵＰ）３３を介して送信部（ＴＸ）３１と受信部（ＲＸ）３２に接続され、基地局からの信号を受信して共用器（ＤＵＰ）３３を介して受信部（ＲＸ）３２に供給し、送信部（ＴＸ）３１から共用器（ＤＵＰ）３３を介して供給される送信信号を電波にて送出する。Ｉ／Ｏポート８は同軸端子を備え、ＲＦ装置３の送信部から出力されるＲＦ信号を取り出す。また、ＰＣ１０と接続し、ＣＰＵ装置１に対してメモリ装置４の設定情報等の書き換えを行う。テスタ９はＩ／Ｏポート８から取り出されるＲＦ信号の特性を測定する。ＰＣ１０はテスタ９を制御する。例えばＧＰＩＢ（Ｇｅｎｅｒａｌ  Ｐｕｒｐｏｓｅ  Ｉｎｔｅｒｆａｃｅ  Ｂｕｓ）バスで接続される）、Ｉ、Ｑ信号のオフセット調整値と、ＴＸＡＧＣの設定値、試験開始コマンド等を、Ｉ／Ｏポート８の入力端子を介してＣＰＵ装置１に入力する。ＰＣ１０とＩ／Ｏポート８とは例えばＵＳＢ（Ｕｎｉｖｅｒｓａｌ  Ｓｅｒｉａｌ  Ｂｕｓ）で接続される）。切り替えスイッチ１１はＲＦ信号の出力先を、アンテナ（ＡＴＮ）７かＩ／Ｏポート８に切り替える。
【００７６】
図１１、図１２、図１３は、図１０の無線通信装置１２の送信電力の調整処理を説明する流れ図である。
【００７７】
図１１を参照すると、まず、「通常調整」を行う。ＣＰＵ装置１にて、例えば、ＨＰＭにモードを設定する（ステップＳ１１）。
【００７８】
次に、ＣＰＵ装置１にて、設定したモードのＴＸＡＧＣを設定する（ステップＳ１２）。
【００７９】
そして、設定したＴＸＡＧＣ毎に無線通信装置１２の送信電力（Ｏｕｔｐｕｔ  Ｐｏｗｅｒ）をテスタ９で測定する。テスタ９で測定した結果は、パソコン１０、Ｉ／Ｏポート８を介して、無線通信装置１２のＣＰＵ装置１に入力され、ＣＰＵ装置１からディジタル信号処理装置（ＤＢＢ）２内のＴＸＡＧＣ−ＰｏｗｅｒテーブルのＰｏｗｅｒ欄に格納する（ステップＳ１３）。ＴＸＡＧＣ−Ｐｏｗｅｒテーブルの全範囲のＴＸＡＧＣに対して送信電力の測定を行い、のＰｏｗｅｒ欄に格納する。
【００８０】
モードの数だけ、ステップＳ１１からＳ１３を繰り返す（ステップＳ１４）。ＨＰＭとＬＰＭの２モードの場合、ステップＳ１１からＳ１３をＨＰＭとＬＰＭについて行う。
【００８１】
全モードの通常調整が終了した場合、「モード切替え時パワー測定」に移る（ステップＳ１５）。
【００８２】
最後に、ＴＸＡＧＣ−Ｐｏｗｅｒテーブルに「通常調整」において格納した箇所とモード切替え時パワー測定で修正した箇所の境目等で、ＩＬＰＣ特性がスペックの下限でＮＧになる可能性があることから、その箇所をスキップする処理が必要かどうかの検討を行う（ステップＳ１６）。
【００８３】
図１２を参照すると、図１１のステップＳ１５の「モード切替え時パワー測定」の処理手順が示されている
【００８４】
ＣＰＵ装置１で各種設定を行う（ステップＳ２１）。例えば以下の設定を行う。
・ＴＸＡＧＣ−Ｐｏｗｅｒテーブルにおいて、モード切替え閾値（Ｐｏｗｅｒ）に最も近いＴＸＡＧＣ（ＨＰＭ、ＬＰＭ等モード毎に記憶する）。
・ＴＸＡＧＣ−Ｐｏｗｅｒテーブルにおいて、モード切替えの範囲を設定する。例えば図６（Ａ）、（Ｂ）に示したように、モード切替えの範囲は、ＨＰＭでは、閾値に最も近いＴＸＡＧＣ±２、ＬＰＭでは、閾値に最も近いＴＸＡＧＣ±２とする。
【００８５】
ＨＰＭのモード切替えの範囲の上限のＴＸＡＧＣで送信電力の測定、ＨＰＭからＬＰＭへモードを切替え、ＬＰＭのモード切替えの範囲の上限のＴＸＡＧＣで送信電力の測定し、
ＬＰＭからＨＰＭへモードを切替え、ＨＰＭのモード切替えの範囲のＴＸＡＧＣ−１で送信電力の測定し、ＨＰＭからＬＰＭへモードを切替え、ＬＰＭのモード切替えの範囲のＴＸＡＧＣ−１で送信電力の測定する、というように、モードとＴＸＡＧＣを切替えながら送信電力を測定し、測定値でＴＸＡＧＣ−Ｐｏｗｅｒテーブルを修正していく（ステップＳ２２、Ｓ２３、Ｓ２４）。
【００８６】
ＨＰＭのモード切替えの範囲の下限のＴＸＡＧＣ、ＬＰＭのモード切替えの範囲の下限のＴＸＡＧＣに対応する送信電力の測定が終了した場合、すなわち、切替えパターンが全て終了すると、モード切替え時パワー測定は終了となる（ステップＳ２５）。
図１２の例では、１回の「モード切替え時パワー測定」で終了しているが、複数回行い、平均化（Ａｖｅｒａｇｉｎｇ）した値をＴＸＡＧＣ−Ｐｏｗｅｒテーブルに格納するなど精度を上げるようにしてもよい。
【００８７】
次に図１１のステップＳ１６の「スキップ処理の検討」を図１３を参照して説明する。
【００８８】
まず、無線通信装置１２のＣＰＵ装置１は、ＴＸＡＧＣ−Ｐｏｗｅｒテーブルにおいて、「モード切替え時パワー測定」で設定したモード切替え範囲（ＴＸＡＧＣ）の上限Ｔｏｐと下限Ｂｏｔｔｏｍを設定する（ステップＳ３１）。例えば、ここでＨＰＭの切替え範囲（ＴＸＡＧＣ）のＴｏｐをＨＰＭ＿ｔｏｐ、ＢｏｔｔｏｍをＨＰＭ＿ｂｔｍとする。例えば図６（Ａ）において、ＨＰＭ＿ｔｏｐのＴＸＡＧＣは「８２」、ＨＰＭ＿ｂｔｍのＴＸＡＧＣは「７８」である。
【００８９】
次に、「通常調整」による送信電力の測定結果に基づき設定されたＴＸＡＧＣ−Ｐｏｗｅｒテーブルと、「モード切替え時パワー測定」による送信電力の測定結果に基づき修正されたＴＸＡＧＣ−Ｐｏｗｅｒテーブルのモード切替え範囲の境目のパワー（送信電力）を比較する（ステップＳ３２）。例えば、ＴＸＡＧＣがＨＰＭ＿ｔｏｐのパワーと、１つ上のＨＰＭ＿ｔｏｐ＋１のパワーの差を求め、絶対値を算出し、Ｔｅｍｐとういう作業用変数に格納する。
【００９０】
ＴｅｍｐをＩＬＰＣ特性の仕様と比較する。ステップＳ３３では、Ｔｅｍｐ＜０．４ｄＢが成り立つか判定し、Ｔｅｍｐ≧０．４ｄＢが成り立つ場合、ステップＳ３４で、Ｔｅｍｐ＞１．６ｄＢが成り立つか判定する。ステップＳ３３で、Ｔｅｍｐ＜０．４ｄＢが成り立つか、ステップＳ３４でＴｅｍｐ＞１．６ｄＢが成り立つ場合、不可（Ｎ／Ａ）であり、ＴＸＡＧＣ−ＰｏｗｅｒテーブルのＨＰＭ＿ｔｏｐ＋１のテーブルにスキップ信号（例えば、「９９９」）を格納する（ステップＳ３５）。無線通信装置において、ＴＸＡＧＣ−ＰｏｗｅｒテーブルのＴＸＡＧＣがＨＰＭ＿ｔｏｐ＋１のＰｏｗｅｒの値が「９９９」であるため、これをスキップする処理を行うことで、規格外れを回避することが可能となる。
【００９１】
スキップ処理が完了、もしくは、ＮＧが無い場合は、全モードで比較完了したことを確認し（ステップＳ３６）、終了していない場合は、モードを切替え（ステップＳ３７）、パワーの比較（ステップＳ３２）に戻る（ステップＳ３６）。
【００９２】
全モードに対してスキップ処理の検討が完了の場合、スキップ処理の検討を終了する。スキップ処理の検討が終了し次第、調整が終了となる。以上が、実施例の動作の説明である。
【００９３】
以上説明したように、モード切替え電力増幅器（ＰＡ）を用いた無線通信装置のパワー調整に、「モード切替え時パワー測定」を加えることによって、モードが切替わる際の過渡応答によるＩＬＰＣ特性劣化を防止することができる。
【００９４】
＜実施形態２＞
次に、本発明の第２の実施形態について説明する。図１４、図１５は、本発明の第２の実施形態の構成を示す図である。無線通信装置の出力電力は、ＲＦＩＣ（無線ＩＣ）や電力増幅器の周波数特性によって変動することから、使用帯域の中心周波数（Ｍｃｈ）のみで送信電力の調整を行うと、ＴＸＡＧＣ−Ｐｏｗｅｒテーブルで設定した値からパワーがずれて、ＩＬＰＣ特仕様に対して規格外となり、不可（Ｎ／Ａ）になる可能性がある。
【００９５】
周波数特性を補正するようなテーブルは用意する構成が知られている（例えば特許文献２）が、モード切替え時の過渡応答は考慮されていない。
【００９６】
本発明の第２の実施形態では、周波数特性によるパワー変動を考慮し、補正を行うために、使用帯域の中心周波数（Ｍｃｈ）だけでなく、任意の周波数（例えば、高域側（Ｈｃｈ）と、低域側（Ｌｃｈ）を加えた３ポイント）でも、「通常調整」と「モード切替え時パワー測定」を行って調整し、それぞれのＴＸＡＧＣ−Ｐｏｗｅｒテーブルを作成するようにしている。これによって、無線通信装置の実動作時の周波数特性による出力電力の変動で、モード切替え時に、ＩＬＰＣ特性の仕様の規格外となる、ことを回避することが可能となる。
【００９７】
図１４を参照すると、無線通信装置１２のＣＰＵ装置１は、周波数の設定を行う（ステップＳ４１）。ここでは、一例として、Ｌｃｈ（低域）／Ｍｃｈ（中域）／Ｈｃｈ（高域）の周波数を設定することとし、説明する。
【００９８】
次に、前述した「通常調整」を行う。ＣＰＵ装置１にてモードを設定する（ステップＳ４２）。
【００９９】
そして、設定したモードのＴＸＡＧＣを設定する（ステップＳ４３）。
【０１００】
設定したＴＸＡＧＣ毎の無線通信装置の出力電力（送信電力）を測定し、ディジタル信号処理装置２内のＴＸＡＧＣ−Ｐｏｗｅｒテーブルに格納する（ステップＳ４４）。
【０１０１】
モードの数だけ、ステップＳ４２からＳ４４を繰り返す（ステップＳ４５）。
【０１０２】
全モードの通常調整が終了した場合、「モード切替え時パワー測定」と「スキップ処理の検討」に移る（ステップＳ４６、Ｓ４７）。
【０１０３】
「モード切替え時パワー測定」と「スキップ処理の検討」は、図１２、図１３を参照して説明した処理と同様であるため、説明は省略する。
【０１０４】
最後に、無線通信装置１２のＣＰＵ装置１は、Ｌｃｈ／Ｍｃｈ／Ｈｃｈ全ての周波数に対して調整したことを確認する（ステップＳ４８）。
【０１０５】
全周波数終わっていなければ、無線通信装置１２のＣＰＵ装置１は、再び、ステップＳ４１の周波数設定に戻り、ステップＳ４１からＳ４７を繰り返す。全周波数終わっていれば、送信電力調整を終了する。
【０１０６】
図１５は、第２の実施形態により調整したＴＸＡＧＣ−Ｐｏｗｅｒテーブルの様子を示している。図１５の（Ａ）、（Ｂ）、（Ｃ）は、ＨＰＭモードにおいて、Ｌｃｈ（低域）／Ｍｃｈ（中域）／Ｈｃｈ（高域）の周波数にそれぞれ対応したＴＸＡＧＣと送信電力値（Ｐｏｗｅｒ）との対応を格納したＴＸＡＧＣ−Ｐｏｗｅｒテーブルの一部を示している。図１５の（Ｄ）、（Ｅ）、（Ｆ）は、ＬＰＭモードにおいて、Ｌｃｈ（低域）／Ｍｃｈ（中域）／Ｈｃｈ（高域）の周波数にそれぞれ対応したＴＸＡＧＣと送信電力値（Ｐｏｗｅｒ）との対応を格納したＴＸＡＧＣ−Ｐｏｗｅｒテーブルの一部を示している。
【０１０７】
無線通信装置の実動作時には、無線通信装置内で設定される周波数をモニタし、作成したＬｃｈ、Ｍｃｈ、ＨｃｈのＴＸＡＧＣ−Ｐｏｗｅｒテーブルを用いて線形補間を行い、電力増幅器の送信電力（Ｐｏｗｅｒ）を設定する。なお、線形補間とは、よく知られているように、異なる２点の間にある点の値を補間する方法である。始点（ｘ１，ｙ１）、終点（ｘ２，ｙ２）とするとき、始点と終点の２点を結ぶ直線上の任意のｘに対応するｙの値は以下のように表すことができる。
【０１０８】
【数１】
2013172225.tif 000003
・・・（１）
【０１０９】
例えば、無線通信装置が２Ｇ（Ｇｉｇａ）帯の周波数（Ｌｃｈ＝１９２２．６ＭＨｚ、Ｍｃｈ＝１９５０ＭＨｚ、Ｈｃｈ＝１９７７．４ＭＨｚ）で動作しているものとする。
無線通信装置の設定周波数が１９４０ＭＨｚであり、送信電力の設定としてＨＰＭのＴＸＡＧＣ＝９１である場合、ＨＰＭ＿ＬｃｈとＨＰＭ＿Ｍｃｈのテーブルを用いて、線形補間を行う。図１５（Ａ）、（Ｂ）のＨＰＭ＿ＬｃｈとＨＰＭ＿ＭｃｈのテーブルのＴＸＡＧＣ＝９１のＰｏｗｅｒは２０．１ｄＢｍ、１９．７ｄＢｍである。（ｘ１、ｙ１）＝（１９２２．６ＭＨｚ、２０．１ｄＢｍ）、（ｘ２、ｙ２）＝（１９５０ＭＨｚ、１９．７ｄＢｍ）を上式（１）に代入すると、１９４０ＭＨｚでの設定送信電力Ｐは以下のようになる。
【０１１０】
Ｐ＝20.1 ＋ (19.7 - 20.1)×(1940 - 1922.6)／(1950 - 1922.6)
＝19.85ｄＢｍ
【０１１１】
このように、設定される周波数に従って各ｃｈ、各モードのＴＸＡＧＣ−Ｐｏｗｅｒテーブルを用いて線形補間しながら、モード切替え処理を行うことで、周波数特性を補正することができ、ＩＬＰＣ特性の仕様に対して規格外となることを回避することが可能となる。
【０１１２】
＜実施形態３＞
次に、本発明の第３の実施形態について説明する。無線通信装置の出力電力（送信電力）は温度によって変動する。一般的に、電力増幅器等のＩＣ（Ｉｎｔｅｇｒａｔｅｄ  Ｃｉｒｃｕｉｔ）は、動作時に発熱し、温度が上昇する。温度が上昇することによって、電力増幅器の出力電力が変動し、前記第１の実施形態に従って調整したＴＸＡＧＣ−ＰｏｗｅｒテーブルのＰｏｗｅｒと実際の出力電力の間にズレが生じ、ＩＬＰＣ特性の仕様から外れる可能性がある。
【０１１３】
電力増幅器等に対して温度特性を補正する構成等（温度補償回路等）は知られているが、電力増幅器におけるモード切替え時の過渡応答等は考慮されていない。
【０１１４】
本実施形態では、無線通信装置の出力電力の温度特性を考慮し、補正を行うために、温度を変動させられる恒温槽等で、例えば８５℃から−３０℃の間の任意の点で、無線通信装置の周辺温度を変化させ、「通常調整」及び「モード切替え時パワー測定」を行う。
【０１１５】
これによって、無線通信装置の実動作時の出力パワーの温度特性変動によるモード切替え時のＩＬＰＣ特性の仕様から外れることを回避することが可能となる。図１６は、本実施形態の処理を説明する流れ図である。
【０１１６】
図１６を参照すると、まず、温度の設定を行う（ステップＳ５１）。
【０１１７】
そして、「通常調整」を行う。まず、ＣＰＵ装置１にてモードを設定する（ステップＳ５２）。次に、設定したモードのＴＸＡＧＣを設定する（ステップＳ５３）。設定したＴＸＡＧＣ毎のパワーを測定し、ＴＸＡＧＣ−ＰｏｗｅｒテーブルのＰｏｗｅｒの欄に格納する（ステップＳ５４）。
【０１１８】
モードの数だけ、ステップＳ５２からＳ５４を繰り返す（ステップＳ５５）。全モードの通常調整が終了した場合、モード切替え時パワー測定とスキップ処理の検討に移る（ステップＳ５６、Ｓ５７）。
【０１１９】
「モード切替え時パワー測定」と「スキップ処理の検討」は、図１２、図１３を参照して説明した処理と同様であるため、説明は省略する。
【０１２０】
最後に、任意で設定した温度の全てに対して調整が終了したことを確認する（ステップＳ５８）。全温度で終了していない場合、再び、ステップＳ５１の温度設定に戻り、ステップＳ５１からＳ５７を繰り返す。全温度で終了している場合、送信電力の調整を終了する。
【０１２１】
図１７は、第３の実施形態で調整したＴＸＡＧＣ−Ｐｏｗｅｒテーブルの様子を示している。図１７の（Ａ）、（Ｂ）、（Ｃ）は、ＨＰＭモードにおいて、周囲温度８５℃、２０℃、−３０℃にそれぞれ対応したＴＸＡＧＣと送信電力値（Ｐｏｗｅｒ）との対応を格納したＴＸＡＧＣ−Ｐｏｗｅｒテーブルの一部を示している。図１７の（Ｄ）、（Ｅ）、（Ｆ）は、ＬＰＭモードにおいて、周囲温度８５℃、２０℃、−３０℃にそれぞれ対応したＴＸＡＧＣ−Ｐｏｗｅｒテーブルの一部を示している。
【０１２２】
サーミスタを用いて温度をモニタし、異常な温度になった際の誤動作を防ぐシステムが搭載したる無線通信装置が知られている。第３の実施形態において、無線通信装置の実動作時には、無線通信装置内の温度をモニタし、作成した温度毎のＴＸＡＧＣ−Ｐｏｗｅｒテーブルを用いて線形補完を行い、パワーを設定する。
【０１２３】
例えば、無線通信装置が周辺温度５０℃、ＨＰＭのＴＸＡＧＣ＝９０だった場合、ＨＰＭ＿８５℃とＨＰＭ＿２０℃のテーブルを用いて線形補間を行うと、設定パワーＰは式（１）を用いると次のようになる。
【０１２４】
Ｐ＝19 ＋ (50 - 20) × (17.8 - 19)／(85 - 20)
＝18.45ｄＢｍ
【０１２５】
このように、無線通信装置の周辺温度に従って各温度、各モードのＴＸＡＧＣ−Ｐｏｗｅｒテーブルを用いて線形補間しながらモード切替え処理を行うことで、温度特性を補正でき、ＩＬＰＣ特性の仕様から外れる、ことを回避することが可能となる。
【０１２６】
＜実施形態４＞
次に本発明の第４の実施形態について説明する。本実施形態は、無線通信装置の出力電力の周波数特性と温度特性による出力電力の変動により、ＩＬＰＣ特性の仕様から外れることを回避するものである。本実施形態は、前記第２、第３の実施形態を組み合せたものである。図１８は、本実施形態の処理を説明する流れ図である。
【０１２７】
図１８を参照すると、まず、無線通信装置を収容する恒温層の温度の設定を行う（ステップＳ６１）。恒温層の温度の設定は図１０のパソコン１０によって行われる。
【０１２８】
次に、無線通信装置のＣＰＵ装置１は周波数の設定を行う（ステップＳ６２）。
【０１２９】
そして、モード毎に個別に、ＴＸＡＧＣを掃引して送信電力を測定しＴＸＡＧＣ−ＰｏｗｅｒテーブルのＰｏｗｅｒ欄に設定する「通常調整」を行う。
【０１３０】
まず、ＣＰＵ装置１にてモードを設定する（ステップＳ６３）。
【０１３１】
次に、設定したモードのＴＸＡＧＣを設定する（ステップＳ６４）。
【０１３２】
設定したＴＸＡＧＣ毎のパワーを測定し、ディジタル信号処理装置２にあるＴＸＡＧＣ−ＰｏｗｅｒテーブルのＰｏｗｅｒ欄に格納する（ステップＳ６５）。
【０１３３】
モードの数だけ、ステップＳ６３からＳ６５を繰り返す（ステップＳ６６）。
【０１３４】
全モードの通常調整が終了した場合、「モード切替え時パワー測定」と「スキップ処理の検討」を行う（ステップＳ６７、Ｓ６８）。「モード切替え時パワー測定」と「スキップ処理の検討」は、図１２、図１３を参照して説明した処理と同様であるため説明は省略する。
【０１３５】
最後に、Ｌｃｈ／Ｍｃｈ／Ｈｃｈ全ての周波数に対して調整したことを確認する（ステップＳ６９）。終わっていなければ、再び周波数設定に戻り、ステップＳ６２からＳ６９を繰り返す。終わっている場合、次に、任意で設定した全ての温度に対して調整したことを確認する（ステップＳ７０）。全ての温度に対して調整が終わっていなければ、再び、ステップＳ６１の温度設定に戻り、ステップＳ６１からＳ７０を繰り返す。全ての温度に対して終わっていれば、パワー調整を終了する。
【０１３６】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【０１３７】
１  ＣＰＵ装置
２  ディジタル信号処理装置（ＤＢＢ）
３  ＲＦ（無線）装置
４  メモリ装置
５  電源装置
６  バッテリー
７  アンテナ
８  Ｉ／Ｏポート
９  テスタ
１０  パソコン（ＰＣ）
１１  切り替えスイッチ
１２  無線通信装置
３１  送信部（ＴＸ）
３２  受信部（ＲＸ）
３３  ＤＵＰ
【図１】
2013172225.tif 000004
【図２】
2013172225.tif 000005
【図３】
2013172225.tif 000006
【図４】
2013172225.tif 000007
【図５】
2013172225.tif 000008
【図６】
2013172225.tif 000009
【図７】
2013172225.tif 000010
【図８】
2013172225.tif 000011
【図９】
2013172225.tif 000012
【図１０】
2013172225.tif 000013
【図１１】
2013172225.tif 000014
【図１２】
2013172225.tif 000015
【図１３】
2013172225.tif 000016
【図１４】
2013172225.tif 000017
【図１５】
2013172225.tif 000018
【図１６】
2013172225.tif 000019
【図１７】
2013172225.tif 000020
【図１８】
2013172225.tif 000021